(57)【要約】【課題】エンドミル本体を縦送りして切削を行う場合に、底刃によって切削される加工面の精度や品位の向上を図ることができるとともに、エンドミル本体先端の回転中心から離れた位置までに形成される底刃の損傷を防いでエンドミル寿命の延長を図ることが可能なエンドミルを提供する。【解決手段】軸線Ｏ回りに回転されるエンドミル本体１の先端に、外周側から内周側に向かう複数の底刃９が周方向に間隔をあけて形成されており、これら底刃９のうち少なくとも１つの底刃９Ａは、エンドミル本体１先端において内周側に向けて軸線Ｏの近傍にまで延びている一方、他の底刃９Ｂは、内周側に向けて軸線Ｏとは間隔をあけた位置までに延びているとともに、内周側に向かうに従い底刃９Ａよりも大きな傾斜角でエンドミル本体１の後端側に傾斜している。【選択図】図２
2010201565.tif 000002
【特許請求の範囲】
【請求項１】
軸線回りに回転されるエンドミル本体の先端に、外周側から内周側に向かう複数の底刃が周方向に間隔をあけて形成されており、上記底刃のうち少なくとも１つの底刃は、上記エンドミル本体の先端において内周側に向けて上記軸線の近傍にまで延びている一方、他の底刃は、内周側に向けて上記軸線とは間隔をあけた位置までに延びているとともに、内周側に向かうに従い上記少なくとも１つの底刃よりも大きな傾斜角で上記エンドミル本体の後端側に傾斜していることを特徴とするエンドミル。
【請求項２】
上記他の底刃は、上記エンドミル本体の先端の内周側で、外周側よりもさらに大きな角度で内周側に向かうに従い上記エンドミル本体の後端側に傾斜していることを特徴とする請求項１に記載のエンドミル。
【請求項３】
上記エンドミル本体の先端の外周側における上記少なくとも１つの底刃と他の底刃との上記傾斜角の差が２〜５°の範囲内とされていることを特徴とする請求項１または請求項２に記載のエンドミル。
【発明の詳細な説明】
【技術分野】
【０００１】
本発明は、エンドミル本体をその軸線回りに回転させつつ、該軸線に直交する方向に送り出して切削を行うほかに、この軸線方向の先端側にも送り出して、被削材に傾斜した溝や凹孔等を形成することが可能なエンドミルに関するものである。
【背景技術】
【０００２】
このように、エンドミル本体をその軸線方向の先端側にも送り出して、すなわち縦送りすることが可能なエンドミルとしては、例えば特許文献１に、複数の底刃のうち、少なくとも一の底刃は、エンドミル本体先端の回転中心の近傍から外周側に延びるとともに０°または負の径方向すくい角が付されるように形成され、かつ他の底刃は回転中心から離間した位置から外周側に延びるとともに、上記少なくとも一の底刃よりも正角側に大きな径方向すくい角が付されるように形成されたものが開示されている。
【０００３】
このようなエンドミルでは、エンドミル本体を縦送りした際に大きな押し込み力が作用する、工具回転中心の近傍部分に対向する被削材部位を切削する上記少なくとも一の底刃に、０°または負の径方向すくい角を付すことによって高い切刃強度を与え、このような被削材部位の切削で作用する過大な切削荷重に抗して切刃に欠損等が生じるのを防ぐことができる。
【先行技術文献】
【特許文献】
【０００４】
【特許文献１】実開平６−６６９１０号公報
【発明の概要】
【発明が解決しようとする課題】
【０００５】
ところで、この特許文献１に記載のエンドミルでは、縦送りの際にエンドミル本体先端の上記回転中心近傍に対向する被削材部位は、上述のようにこの回転中心近傍まで延びる上記少なくとも一の底刃で切削される一方で、エンドミル本体先端の外周側に対向する被削材部位は、この少なくとも一の底刃と他の底刃とのエンドミル本体先端に形成されたすべての底刃で切削されることになる。
【０００６】
ところが、こうしてエンドミル本体先端の回転中心近傍に対向する被削材部位と外周側に対向する被削材部位とで切削に関与する底刃が異なると、縦送りの送り量によってはこれらの被削材部位の境界部に段差が生じて加工面の精度や品位を損なうおそれがある。また、その一方で、上記他の底刃の回転中心から離間した内周端は、この他の底刃のうちでは最も回転中心に近いため、縦送りの際の上記押し込み力も高くなり、欠損等が生じ易いという問題もある。
【０００７】
本発明は、このような背景の下になされたもので、上述のようにエンドミル本体を縦送りして切削を行う場合に、底刃によって切削される加工面の精度や品位の向上を図ることができるとともに、エンドミル本体先端の回転中心から離れた位置までに形成される底刃の損傷を防いでエンドミル寿命の延長を図ることが可能なエンドミルを提供することを目的としている。
【課題を解決するための手段】
【０００８】
上記課題を解決して、このような目的を達成するために、本発明は、軸線回りに回転されるエンドミル本体の先端に、外周側から内周側に向かう複数の底刃が周方向に間隔をあけて形成されており、上記底刃のうち少なくとも１つの底刃は、上記エンドミル本体の先端において内周側に向けて上記軸線の近傍にまで延びている一方、他の底刃は、内周側に向けて上記軸線とは間隔をあけた位置までに延びているとともに、内周側に向かうに従い上記少なくとも１つの底刃よりも大きな傾斜角で上記エンドミル本体の後端側に傾斜していることを特徴とする。
【０００９】
このように構成されたエンドミルでは、エンドミル本体先端における軸線近傍すなわち回転中心まで延びる少なくとも１つの底刃に対して、この軸線とは間隔をあけた位置まで延びる他の底刃が、内周側に向かうに従い大きな傾斜角でエンドミル本体後端側に傾斜しているので、エンドミル本体を縦送りしたときには、主に軸線近傍まで延びる上記少なくとも１つの底刃だけが切削に関与することになる。このため、被削材の切削部位によって他の底刃が関与することがなくなって、該底刃による加工面に段差が生じたりするのを防ぐことができる。
【００１０】
また、こうして他の底刃が切削に関与することがないため、縦送りの際にこの他の底刃に押し込み力が作用することもなく、欠損等の損傷が生じるのも防ぐことができる。特にこの他の底刃は、上記少なくとも１つの底刃よりも大きな傾斜角で内周側に向かうに従い後端側に傾斜しているので、この少なくとも１つの底刃に対する後退量は内周側に向けて漸次大きくなってその内周端で最大となるため、この他の底刃の内周端での損傷を確実に防止することが可能となる。
【００１１】
さらに、この他の底刃を、上記エンドミル本体の先端の内周側で、外周側よりもさらに大きな傾斜角で内周側に向かうに従い上記エンドミル本体の後端側に傾斜させることにより、縦送りの際にこの他の底刃の内周端が切削に関与するのを一層確実に防止することができる。しかも、こうして他の底刃の内周側を外周側よりも大きく傾斜させることにより、上記少なくとも１つの底刃の軸線近傍まで延びた部分の周辺に空間を形成してチップポケットを確保することができるので、かかる部分により生成された切屑が詰まりを生じて切削抵抗の増大や加工面精度等の劣化を招いたりするのも防ぐことができる。
【００１２】
なお、上記少なくとも１つの底刃と他の底刃との傾斜角の差は、これが小さすぎると、縦送りの送り量によっては他の底刃の特に内周側が切削に関与してしまって上述のような作用効果が得られなくなるおそれがあり、逆に大きすぎると、例えばスクエアエンドミルの場合などには他の底刃の外周端で外周刃との交差角が小さくなって欠損を生じ易くなるおそれがある。このため、これら少なくとも１つの底刃と他の底刃とのエンドミル本体先端外周側における上記傾斜角の差は２〜５°の範囲内とされるのが望ましい。
【発明の効果】
【００１３】
以上説明したように、本発明によれば、エンドミル本体を縦送りして切削を行う場合に、底刃のうちエンドミル本体先端の軸線近傍まで延びる少なくとも１つの底刃だけを主に切削に関与するようにして、該底刃による加工面の精度や品位の向上を図るとともに、他の底刃の特に内周端における欠損等を防いで、寿命の長いエンドミルを提供することが可能となる。
【図面の簡単な説明】
【００１４】
【図１】本発明の第１の実施形態を示す側面図である。
【図２】図１に示す実施形態を軸線Ｏ方向先端側から見た拡大正面図である。
【図３】図２におけるＡＡ断面（第１の底刃９Ａに沿った断面）図である。
【図４】図２におけるＢＢ断面（第２の底刃９Ｂに沿った断面）図である。
【図５】本発明の第２の実施形態を軸線方向先端側から見た拡大正面図である。
【図６】図５におけるＢＢ断面（第２の底刃９Ｂに沿った断面）図である。
【発明を実施するための形態】
【００１５】
図１ないし図４に示す本発明の第１の実施形態において、エンドミル本体１は、超硬合金等の硬質材料によって形成されて軸線Ｏを中心とした概略円柱状をなし、その後端側部分（図１において右側部分）は円柱状のままのシャンク部２とされるとともに先端側部分（図１において左側部分）は切刃部３とされ、シャンク部２が工作機械の主軸に保持されて軸線Ｏ回りにエンドミル回転方向Ｔに回転されつつ被削材に対して送り出されることにより、上記切刃部３によって被削材に切削加工を施してゆく。
【００１６】
切刃部３の外周には、その先端から後端側に向けて軸線Ｏ回りにエンドミル回転方向Ｔ後方側に捩れる複数（本実施形態では４条）の切屑排出溝４が形成されており、これらの切屑排出溝４のエンドミル回転方向Ｔ側を向く壁面は、軸線Ｏに直交する断面においてエンドミル回転方向Ｔの後方側に凹む凹曲線状をなしていて、その外周側辺稜部には、それぞれ外周刃５が形成されている。従って、上記壁面はこの外周刃５のすくい面すなわち外周刃すくい面６とされ、本実施形態では４条の外周刃５が、その外周刃すくい面６が形成された切屑排出溝４の捩れに合わせて螺旋状に捩れるように形成されている。
【００１７】
一方、エンドミル本体１の先端部には、上記切屑排出溝４から内周側に延びるギャッシュ７が形成されており、このギャッシュ７のエンドミル回転方向Ｔを向く壁面は、断面凹曲線状をなす上記外周刃すくい面６の先端側部分を平面状に切り欠くように形成されている。そして、この壁面の先端側辺稜部すなわち該壁面とエンドミル本体１先端の先端逃げ面８との交差稜線部に、上記外周刃５の先端からそれぞれエンドミル本体１の内周側に延びる底刃９が形成されている。
【００１８】
従って、本実施形態では、上記ギャッシュ６の壁面が底刃９のすくい面すなわち底刃すくい面１０とされて、外周刃５と同じく複数（４条）の底刃９が、図２に示すように軸線Ｏ方向先端側から見てエンドミル本体１先端の外周端から内周側に向けて直線状に延びるように形成されることになる。なお、本実施形態のエンドミルは、外周刃５の軸線Ｏ回りの回転軌跡が該軸線Ｏを中心とする略円筒状とされるとともに、この外周刃５と底刃９とが同回転軌跡で角度をもって交差するスクエアエンドミルとされている。
【００１９】
ここで、これら複数の底刃９は図２に示すように、外周刃５と交差するその外周端からエンドミル本体１先端における軸線Ｏ近傍まで延びる２条の第１の底刃（図２において上下方向に延びる底刃。本発明における少なくとも１つの底刃）９Ａと、外周端から内周側に向けてこれら第１の底刃９Ａよりも上軸線Ｏとは間隔をあけた位置までに延びる２条の第２の底刃（図２において左右方向に延びる底刃。本発明における他の底刃）９Ｂとが、周方向に交互に配置されて構成されている。
【００２０】
ただし、上記第１の底刃９Ａは、エンドミル本体１先端において軸線Ｏに交差させられてはおらず、その内周端はこの軸線Ｏとの間に僅かな間隔をあけて位置させられていて、これら第１の底刃９Ａの内周端同士の間には、該第１の底刃９Ａの先端逃げ面８同士が交差してなるチゼル部１１が形成されていて、このチゼル部１１が軸線Ｏと交差させられている。また、これら第１、第２の底刃９Ａ、９Ｂは本実施形態では周方向に等間隔に形成されており、従ってエンドミル本体１は軸線Ｏを中心として１８０°回転対称に形成されている。
【００２１】
さらに、本実施形態では、このように第１、第２の底刃９Ａ、９Ｂの内周端の位置を異なるものとするのに、第１の底刃９Ａの底刃すくい面１０が形成されたギャッシュ７を、第２の底刃９Ｂに連なる先端逃げ面８を越えて、軸線Ｏに対する径方向において第１の底刃９Ａが延びる側とは反対側まで延設するようにしており、こうして延設された第１の底刃９Ａのギャッシュ７と、そのエンドミル回転方向Ｔ側に隣接する第２の底刃９Ｂのギャッシュ７とは、エンドミル本体１先端の内周側で連通させられている。
【００２２】
そして、これらの底刃９には、それぞれその外周端から内周側に向かうに従いエンドミル本体１の後端側に向かうように軸線Ｏに垂直な平面に対して傾斜角（すかし角あるいは中低角）が与えられており、このうち図３に示す第１の底刃９Ａに与えられる傾斜角αに対して、図４に示す第２の底刃９Ｂに与えられる傾斜角βが大きくされている。ここで、これらの傾斜角の差β−αは、２〜５°の範囲内とされるのが望ましく、本実施形態ではα＝２°、β＝５°でβ−α＝３°とされている。
【００２３】
従って、このようなエンドミルによって、そのエンドミル本体１を軸線Ｏ方向先端側にも送り出して被削材に傾斜した溝や凹孔を形成する縦送りの際には、底刃９のうち切削に関与するのは主として小さい傾斜角αの第１の底刃９Ａとなる。そして、この第１の底刃９Ａは、外周刃５と交差するその外周端からエンドミル本体１先端の軸線Ｏ近傍まで延びていて、該底刃９による被削材の加工部位を一様に切削することができるので、上記構成のエンドミルによれば、この底刃９による加工面に段差などが形成されるのを避けることができ、縦送りの際の加工面精度や加工面品位の向上を図ることができる。
【００２４】
その一方で、第２の底刃９Ｂは、外周端から内周側に向かうに従い第１の底刃９Ａよりも大きな傾斜角βでエンドミル本体１の後端側に傾斜するため、その内周端で第１の底刃９Ａに対して最も大きく軸線Ｏ方向に後退することになる。従って、この第２の底刃９Ｂの内周端が切削に関与することは殆どなく、このため切削負荷や縦送りの際の押し込み力が作用することもないので、第２の底刃９Ｂの内周端に欠損等の損傷が生じたりするのを防止することができ、これによりエンドミル寿命の延長を図ることが可能となる。
【００２５】
なお、第１の実施形態では、この第２の底刃９Ｂも第１の底刃９Ａと同様に一直線状に内周側に向かうに従いエンドミル本体１後端側に向かうように傾斜しているが、上述のような第２の底刃９Ｂの内周端における損傷をより確実に防止するには、図５及び図６に示す本発明の第２の実施形態のように、この第２の底刃９Ｂを、エンドミル本体１先端の内周側で、外周側よりもさらに大きな傾斜角γでエンドミル本体１後端側に傾斜するように折れ線状に形成するのが望ましい。なお、この第２の実施形態において、第１の実施形態と共通する部分には同一の符号を配してある。
【００２６】
ここで、この第２の実施形態では、第１の実施形態において第２の底刃９Ｂに連なる先端逃げ面８の内周側の部分を、内周側に向かうに従い外周側部分よりも大きな上記傾斜角γで傾斜平面状に切り欠くことにより、この先端逃げ面８と底刃すくい面１０との交差稜線部である第２の底刃９Ｂを上述のような折れ線状としている。なお、エンドミル本体１の第１の底刃９Ａに沿った断面は図３に示した第１の実施形態と同様であるので、図示は省略する。
【００２７】
従って、このような第２の実施形態のエンドミルでは、第２の底刃９Ｂの内周端を第１の実施形態よりもさらにエンドミル本体１の後端側に後退した位置に配置することができるので、この内周端に切削負荷や押し込み力が作用するのを確実に回避して損傷の発生をより効果的に防止することができる。
【００２８】
しかも、このように第２の底刃９Ｂの内周側がより大きな傾斜角γで後退することにより、そのエンドミル回転方向Ｔ後方側に隣接する第１の底刃９Ａのエンドミル回転方向Ｔ側には、ギャッシュ７を拡げるようにしてより大きな空間が形成される。従って、こうして形成された空間により、縦送りの際に主として切削に関与する第１の底刃９Ａのチップポケットを大きく確保することができるので、本第２の実施形態によれば、第１の底刃９Ａにより生成される切屑をこのチップポケットに収容して円滑に排出することができ、このような切屑の詰まりによって切削抵抗が増大したり、加工面が傷付けられてその品位や精度が損なわれたりするのを防止することが可能となる。
【００２９】
なお、これら第１、第２の実施形態において、第１の底刃９Ａの傾斜角αに対する第２の底刃９Ｂの外周側部分における傾斜角βの差は、上述のように２〜５°の範囲内とされるのが望ましい。これら傾斜角α、βの差α−βが小さすぎると、縦送りの際の送り量が大きい場合には第２の底刃９Ｂも切削に関与することになって上述の効果を確実に奏功することができなくなるおそれがあり、逆に傾斜角α、βの差α−βが大きすぎると、特にこれら第１、第２の実施形態のように本発明をスクエアエンドミルに適用した場合には、第２の底刃９Ｂの外周端において外周刃５との交差角が小さくなり、この外周端に欠損等を生じ易くなってしまう。
【００３０】
また、このようにスクエアエンドミルに適用する以外にも、本発明は、例えば底刃９の外周端において外周刃５との間に凸円弧状をなすコーナＲ刃が形成されたラジアスエンドミルに適用することも可能である。また、本実施形態では第１、第２の底刃９Ａ、９Ｂが、図２に示すように周方向において交互に、かつ等間隔に位置するように配置されているが、例えば切屑排出溝４の溝幅を第１の底刃９Ａと第２の底刃９Ｂとに連なるもの同士で異なるものとしたり、あるいは切屑排出溝４の捩れ角を異なるものとしたりして、エンドミル本体１先端の底刃９の間隔が、エンドミル回転方向Ｔの後方側に向けて第１の底刃９Ａから第２の底刃９Ｂまでと、第２の底刃９Ｂから第１の底刃９Ａまでとで、異なるようにしてもよい。
【符号の説明】
【００３１】
１  エンドミル本体
３  切刃部
４  切屑排出溝
５  外周刃
６  外周刃すくい面
７  ギャッシュ
８  先端逃げ面
９  底刃
９Ａ  第１の底刃（少なくとも１つの底刃）
９Ｂ  第２の底刃（他の底刃）
１０  底刃すくい面
Ｏ  エンドミル本体１の軸線
Ｔ  エンドミル回転方向
α  第１の底刃９Ａの傾斜角
β  第２の底刃９Ｂの傾斜角
γ  第２の底刃９Ｂの内周側部分の傾斜角
【図１】
2010201565.tif 000003
【図２】
2010201565.tif 000004
【図３】
2010201565.tif 000005
【図４】
2010201565.tif 000006
【図５】
2010201565.tif 000007
【図６】
2010201565.tif 000008